(57)【要約】  【課題】  本発明者は、丈夫さのような実用性以外の特性をも意識しながら、より多様な編み方および編み物を実現することが望ましいと考えている。  【解決手段】  一端１１０の側で上下に二本の糸１０１、１０２を分け、上側の糸１０１の手前側を通過させたかぎ針先端５１１で手前側から奥側へ向かって下側の糸１０２をすくい、さらに、かぎ針先端５１１で奥側から手前側へ向かって上側の糸１０１をすくいながら引掛けて引き抜く第一種編みステップと、または一端１１０の側で上下に二本の糸１０１、１０２を分け、かぎ針先端５１１で奥側から手前側へ向かって上側の糸１０１をすくい、さらに、上側の糸１０１の手前側を通過させたかぎ針先端５１１で手前側から奥側へ向かって下側の糸１０２をすくいながら引掛けて引き抜く第二種編みステップと、を備えた編み方である。【選択図】  図４
2020029636.tif 000002
【特許請求の範囲】
【請求項１】
かぎ針（５００）で二本の糸（１０１、１０２）を編む編み方であって、
（１）前記二本の糸（１０１、１０２）を束ね、一端（１１０）と他端（１２０）との間にループ（１３０）を作り、結び目（１４０）ができるように、前記ループ（１３０）に前記かぎ針（５００）を通し前記一端（１１０）の側で前記二本の糸（１０１、１０２）に前記かぎ針（５００）のかぎ針先端（５１１）を引掛けて引き抜く準備ステップと、
（２ａ）前記一端（１１０）の側で上下に前記二本の糸（１０１、１０２）を分け、上側の前記糸（１０１）の手前側を通過させた前記かぎ針先端（５１１）で手前側から奥側へ向かって下側の前記糸（１０２）をすくい、さらに、前記かぎ針先端（５１１）で奥側から手前側へ向かって上側の前記糸（１０１）をすくいながら引掛けて引き抜く第一種編みステップと、または
（２ｂ）前記一端（１１０）の側で上下に前記二本の糸（１０１、１０２）を分け、前記かぎ針先端（５１１）で奥側から手前側へ向かって上側の前記糸（１０１）をすくい、さらに、上側の前記糸（１０１）の手前側を通過させた前記かぎ針先端（５１１）で手前側から奥側へ向かって下側の前記糸（１０２）をすくいながら引掛けて引き抜く第二種編みステップと、
（３）前記第一種編みステップの繰り返し、もしくは前記第二種編みステップの繰り返し、または前記第一種編みステップおよび前記第二種編みステップの所定の組み合わせで前記二本の糸（１０１、１０２）を編み上げる編み上げステップと、
を備えたことを特徴とする編み方。
【請求項２】
請求項１に記載の編み方により作成されたことを特徴とする編み物。
【発明の詳細な説明】
【技術分野】
【０００１】
本発明は、かぎ針で二本の糸を編む編み方および編み物に関する。
【背景技術】
【０００２】
たとえば、三つ編みをしながら、紐の１本ずつを前段の三つ編みの目の下から上へと順に通して編み進め面を広げていく編み方が、知られている（たとえば、特許文献１参照）。
【０００３】
このような編み方により作成された編み物は、三つ編みの紐の一本一本が互いに編み合わされているので、紐同士の摩擦によって丈夫である。
【先行技術文献】
【特許文献】
【０００４】
【特許文献１】特許第５１１６０５２号公報
【発明の概要】
【発明が解決しようとする課題】
【０００５】
ところで、本発明者は、丈夫さのような実用性以外の特性をも意識しながら、より多様な編み方および編み物を実現することが望ましいと考えている。
【０００６】
具体的には、本発明者は、バレンタインデーの手作りチョコレートのようなプレゼントを可愛らしいラッピングで彩りたいといった女性のニーズにもっと応えたいと考えている。
【０００７】
しかしながら、かくの如きニーズは極めて多様であるので、従来の編み方および編み物はプレゼントを可愛らしいラッピングで彩りたいといったニーズを必ずしも十分に満たすことはできない。
【０００８】
本発明は、上述された従来の課題を考慮し、たとえば、プレゼントを可愛らしいラッピングで彩りたいといったニーズに応えることができる編み方および編み物を提供することを目的とする。
【課題を解決するための手段】
【０００９】
第１の本発明は、かぎ針（５００）で二本の糸（１０１、１０２）を編む編み方であって、
【００１０】
（１）前記二本の糸（１０１、１０２）を束ね、一端（１１０）と他端（１２０）との間にループ（１３０）を作り、結び目（１４０）ができるように、前記ループ（１３０）に前記かぎ針（５００）を通し前記一端（１１０）の側で前記二本の糸（１０１、１０２）に前記かぎ針（５００）のかぎ針先端（５１１）を引掛けて引き抜く準備ステップと、
【００１１】
（２ａ）前記一端（１１０）の側で上下に前記二本の糸（１０１、１０２）を分け、上側の前記糸（１０１）の手前側を通過させた前記かぎ針先端（５１１）で手前側から奥側へ向かって下側の前記糸（１０２）をすくい、さらに、前記かぎ針先端（５１１）で奥側から手前側へ向かって上側の前記糸（１０１）をすくいながら引掛けて引き抜く第一種編みステップと、または
【００１２】
（２ｂ）前記一端（１１０）の側で上下に前記二本の糸（１０１、１０２）を分け、前記かぎ針先端（５１１）で奥側から手前側へ向かって上側の前記糸（１０１）をすくい、さらに、上側の前記糸（１０１）の手前側を通過させた前記かぎ針先端（５１１）で手前側から奥側へ向かって下側の前記糸（１０２）をすくいながら引掛けて引き抜く第二種編みステップと、
【００１３】
（３）前記第一種編みステップの繰り返し、もしくは前記第二種編みステップの繰り返し、または前記第一種編みステップおよび前記第二種編みステップの所定の組み合わせで前記二本の糸（１０１、１０２）を編み上げる編み上げステップと、
を備えたことを特徴とする編み方である。
【００１４】
第２の本発明は、第１の本発明の編み方により作成されたことを特徴とする編み物である。
【発明の効果】
【００１５】
本発明により、プレゼントを可愛らしいラッピングで彩りたいといったニーズに応えることが可能な編み方および編み物を提供することができる。
【図面の簡単な説明】
【００１６】
【図１】（ａ）本発明における実施の形態の編み方の模式的な説明図（その一）、（ｂ）本発明における実施の形態の編み方の模式的な説明図（その二）、（ｃ）本発明における実施の形態の編み方の模式的な説明図（その三）
【図２】本発明における実施の形態の編み方の模式的な斜視図（その一）
【図３】本発明における実施の形態の編み方の模式的な斜視図（その二）
【図４】本発明における実施の形態の編み方の模式的な斜視図（その三）
【図５】本発明における実施の形態の編み方の模式的な斜視図（その四）
【図６】本発明における実施の形態の編み方の模式的な斜視図（その五）
【図７】本発明における実施の形態の編み方の模式的な斜視図（その六）
【図８】本発明における実施の形態の編み方の模式的な斜視図（その七）
【発明を実施するための形態】
【００１７】
以下、図面を参照しながら、本発明における実施の形態について詳細に説明する。
【００１８】
本実施の形態の編み方は、かぎ針５００で二本の糸１０１および１０２を編む編み方であって、（１）準備ステップと、（２ａ）第一種編みステップと、または（２ｂ）第二種編みステップと、（３）編み上げステップと、を有する。
【００１９】
本実施の形態の編み方について説明しながら、本実施の形態の編み方により作成された編み物についても説明する。
【００２０】
（準備ステップ）
はじめに、図１から３を主として参照しながら、本実施の形態の編み方の準備ステップについて具体的に説明する。
【００２１】
ここに、図１（ａ）から１（ｃ）は本発明における実施の形態の編み方の模式的な説明図（その一から三）であり、図２および３は本発明における実施の形態の編み方の模式的な斜視図（その一および二）である。
【００２２】
二本の糸１０１および１０２を束ね、一端１１０と他端１２０との間にループ１３０を作り、結び目１４０ができるように、ループ１３０にかぎ針５００を通し一端１１０の側で二本の糸１０１および１０２にかぎ針５００のかぎ針先端５１１を引掛けて引き抜く。
【００２３】
上側の糸１０１は、下側の糸１０２と比べて握り部５２０から遠い奥側で棒針部５１０の根本に掛かっている奥側の糸であり、たとえば、白色の糸である。
【００２４】
下側の糸１０２は、上側の糸１０１と比べて握り部５２０へ近い手前側で棒針部５１０の根本に掛かっている手前側の糸であり、たとえば、赤色の糸である。
【００２５】
二本の糸１０１および１０２の色が同じである場合、編み手は、二本の糸１０１および１０２の内、かぎ針先端５１１に残っている糸が手前側の糸であるのか奥側の糸であるのかを覚えておかなければならない。
【００２６】
準備ステップについてより具体的に説明すると、つぎの通りである。
【００２７】
図１（ａ）および２に示されているように、二本の糸１０１および１０２を束ね、一端１１０と他端１２０との間にループ１３０を作り、結び目１４０ができるように、ループ１３０にかぎ針５００を通す。
【００２８】
注意としては、図２に示されている状態において、すでにループ１３０にかぎ針５００を通し終わっている。
【００２９】
図１（ｂ）に示されているように、結び目１４０ができるように、ループ１３０にかぎ針５００を通し一端１１０の側で二本の糸１０１および１０２にかぎ針５００のかぎ針先端５１１を引掛ける。
【００３０】
図１（ｃ）および３に示されているように、一端１１０の側で二本の糸１０１および１０２にかぎ針５００のかぎ針先端５１１を引掛けて引き抜く。
【００３１】
注意としては、図３に示されている状態において、すでにかぎ針先端５１１を引き抜き終わっている。
【００３２】
かぎ針５００は一緒に結ばれた二本の糸１０１および１０２に通し入れられ、二本の糸１０１および１０２は一端１１０の側でかぎ針５００を握っている右手Ｒと異なる左手Ｌにより上下に分けられる（図４参照）。
【００３３】
このような手順は、いわゆる編みはじめの手順として利用することができる。
【００３４】
（第一種編みステップ）
つぎに、図４から７を主として参照しながら、本実施の形態の編み方の第一種編みステップについて具体的に説明する。
【００３５】
ここに、図４から７は、本発明における実施の形態の編み方の模式的な斜視図（その三から六）である。
【００３６】
一端１１０の側で上下に二本の糸１０１および１０２を分け、上側の糸１０１の手前側を通過させたかぎ針先端５１１で手前側から奥側へ向かって下側の糸１０２をすくい、さらに、かぎ針先端５１１で奥側から手前側へ向かって上側の糸１０１をすくいながら引掛けて引き抜く。
【００３７】
二本の糸１０１および１０２は、上下に分けられてもよいし、前後に分けられてもよいし、左右に分けられてもよい。何れにせよ、このような二本の糸１０１および１０２の位置関係は第一種編みステップにおける手順の進行および編み手の手勝手などに応じて変化することがあるので、位置関係についてのさまざまな変形例が考えられる。
【００３８】
第一種編みステップについてより具体的に説明すると、つぎの通りである。
【００３９】
図４に示されているように、一端１１０の側で上下に二本の糸１０１および１０２を分け、上側の糸１０１の手前側を通過させたかぎ針先端５１１で手前側から奥側へ向かって下側の糸１０２をすくう。
【００４０】
注意としては、図４に示されている状態において、今から下側の糸１０２をすくおうとしている。
【００４１】
より具体的には、矢印Ａ１の向きに上側の糸１０１の手前側を通過させたかぎ針先端５１１で矢印Ａ２の向きに手前側から奥側へ向かって下側の糸１０２をすくう。
【００４２】
したがって、結び目１４０から出てきた下側の糸１０２は、手前側から奥側へ向かって棒針部５１０に巻付く。このように手前側の糸を手前側からすくう原則は、本実施の形態において首尾一貫した原則である。
【００４３】
図５に示されているように、上側の糸１０１の手前側を通過させたかぎ針先端５１１で手前側から奥側へ向かって下側の糸１０２をすくい、さらに、かぎ針先端５１１で奥側から手前側へ向かって上側の糸１０１をすくう。
【００４４】
注意としては、図５に示されている状態において、今から上側の糸１０１をすくおうとしている。
【００４５】
より具体的には、矢印Ａ３の向きにかぎ針先端５１１で奥側から手前側へ向かって上側の糸１０１をすくう。同時に、二本の糸１０１および１０２を一端１１０の側で上下に分ける左手Ｌは、矢印Ａ３の向きであるかぎ針先端５１１の動き向きと実質的に同じ動き向きを与える矢印Ｂ１の向きに動かされる。
【００４６】
したがって、結び目１４０から出てきた上側の糸１０１は、奥側から手前側へ向かって棒針部５１０に巻付く。このように奥側の糸を奥側からすくう原則は、本実施の形態において首尾一貫した原則である。
【００４７】
図６に示されているように、さらに、かぎ針先端５１１で奥側から手前側へ向かって上側の糸１０１をすくいながら引掛ける。
【００４８】
注意としては、図６に示されている状態において、今から上側の糸１０１を引掛けようとしている。
【００４９】
より具体的には、かぎ針先端５１１で奥側から手前側へ向かって上側の糸１０１をすくいながら矢印Ａ４の向きに引掛ける。
【００５０】
図７に示されているように、かぎ針先端５１１で奥側から手前側へ向かって上側の糸１０１をすくいながら引掛けて引き抜く。
【００５１】
注意としては、図７に示されている状態において、すでに上側の糸１０１を引き抜き終わっている。
【００５２】
編み手は、二本の糸１０１および１０２の内、引き抜かれる上側の糸１０１と異なる下側の糸１０２をはじめにすくい、引き抜かれる上側の糸１０１をつぎにすくい、はじめにすくわれた下側の糸１０２、ならびに棒針部５１０に最初から掛かっている二本の糸１０１および１０２を通すように、かぎ針先端５１１で上側の糸１０１を引き抜く。
【００５３】
もちろん、上側の糸１０１が引き抜かれると、棒針部５１０には上側の糸１０１が残って掛かる。
【００５４】
このような手法は、いわゆる一つ目の編み目を編むための手法として利用することができる。
【００５５】
手前側の糸をはじめにすくい奥側の糸を引き抜くかくの如き手法は奥側の糸をはじめにすくい手前側の糸を引き抜く後述される手法と類似しているが、最後の糸の引き抜きがしばしば容易である。
【００５６】
（第二種編みステップ）
つぎに、図８を主として参照しながら、本実施の形態の編み方の第二種編みステップについて具体的に説明する。
【００５７】
ここに、図８は、本発明における実施の形態の編み方の模式的な斜視図（その七）である。
【００５８】
一端１１０の側で上下に二本の糸１０１および１０２を分け、かぎ針先端５１１で奥側から手前側へ向かって上側の糸１０１をすくい、さらに、上側の糸１０１の手前側を通過させたかぎ針先端５１１で手前側から奥側へ向かって下側の糸１０２をすくいながら引掛けて引き抜く。
【００５９】
二本の糸１０１および１０２は、上下に分けられてもよいし、前後に分けられてもよいし、左右に分けられてもよい。何れにせよ、このような二本の糸１０１および１０２の位置関係は第二種編みステップにおける手順の進行および編み手の手勝手などに応じて変化することがあるので、位置関係についてのさまざまな変形例が考えられる。
【００６０】
第二種編みステップについてより具体的に説明すると、つぎの通りである。
【００６１】
図８に示されているように、かぎ針先端５１１で奥側から手前側へ向かって上側の糸１０１をすくい、さらに、上側の糸１０１の手前側を通過させたかぎ針先端５１１で手前側から奥側へ向かって下側の糸１０２をすくいながら引掛けて引き抜く。
【００６２】
注意としては、図８に示されている状態において、すでに上側の糸１０１をすくい終わっている。
【００６３】
より具体的には、矢印Ａ５の向きにかぎ針先端５１１で奥側から手前側へ向かって上側の糸１０１をすくう。
【００６４】
したがって、結び目１４０から出てきた上側の糸１０１は奥側から手前側へ向かって棒針部５１０に巻付き、結び目１４０から出てきた下側の糸１０２は手前側から奥側へ向かって棒針部５１０に巻付く。
【００６５】
編み手は、二本の糸１０１および１０２の内、引き抜かれる下側の糸１０２と異なる上側の糸１０１をはじめにすくい、引き抜かれる下側の糸１０２をつぎにすくい、はじめにすくわれた上側の糸１０１、および棒針部５１０に残って掛かっている上側の糸１０１を通すように、かぎ針先端５１１で下側の糸１０２を引き抜く。
【００６６】
もちろん、下側の糸１０２が引き抜かれると、棒針部５１０には下側の糸１０２が残って掛かる。
【００６７】
このような手法は、いわゆる二つ目以降の編み目を編むための手法として利用することができる。
【００６８】
奥側の糸をはじめにすくい手前側の糸を引き抜くかくの如き手法は手前側の糸をはじめにすくい奥側の糸を引き抜く前述された手法と類似しているが、最後の糸の引き抜きがしばしばやや困難である。
【００６９】
（編み上げステップ）
つぎに、本実施の形態の編み方の編み上げステップについて具体的に説明する。
【００７０】
第一種編みステップの繰り返し、もしくは第二種編みステップの繰り返し、または第一種編みステップおよび第二種編みステップの所定の組み合わせで二本の糸１０１および１０２を編み上げる。
【００７１】
編み上げステップについてより具体的に説明すると、つぎの通りである。
【００７２】
二本の糸１０１および１０２の色が異なる典型的な場合、編み手は、第一種編みステップおよび第二種編みステップの交互の繰り返しで、二色の配列を交互に変更することができる。
【００７３】
しかしながら、二色の配列が交互に変更される必要は全くない。
【００７４】
色を変更したい場合には、棒針部５１０に残って掛かっている糸の色と同じ色の糸をはじめにすくう。そして、棒針部５１０に残って掛かっている糸の色と異なる色の糸をつぎにすくい、はじめにすくわれた糸１０１、および棒針部５１０に残って掛かっている糸を通すように、棒針部５１０に残って掛かっている糸の色と異なる色のつぎにすくわれた糸を引き抜く。
【００７５】
色を変更したくない場合には、棒針部５１０に残って掛かっている糸の色と異なる色の糸をはじめにすくう。そして、棒針部５１０に残って掛かっている糸の色と同じ色の糸をつぎにすくい、はじめにすくわれた糸１０１、および棒針部５１０に残って掛かっている糸を通すように、棒針部５１０に残って掛かっている糸の色と同じ色のつぎにすくわれた糸を引き抜く。
【００７６】
したがって、たとえば、二本の糸１０１および１０２は、白色、白色、赤色、白色、白色、赤色、…の順番で二色の配列を変更する、第一種編みステップ、第一種編みステップ、第二種編みステップ、第一種編みステップ、第一種編みステップ、第二種編みステップ、…の組み合わせで編み上げられてもよい。
【００７７】
編み上げステップは、編み物の長さが所望の長さになるまで継続される。
【００７８】
もちろん、編み上げステップが終了されるとき、上側の糸１０１のみが引掛けて引き抜かれてもよいし、下側の糸１０２のみが引掛けて引き抜かれてもよいし、上側の糸１０１および下側の糸１０２が両方とも引掛けて引き抜かれてもよい。
【産業上の利用可能性】
【００７９】
本発明における編み方および編み物は、プレゼントを可愛らしいラッピングで彩りたいといったニーズに応えることができ、かぎ針で二本の糸を編む編み方および編み物に利用する目的に有用である。
【符号の説明】
【００８０】
１０１、１０２  糸
１１０  一端
１２０  他端
１３０  ループ
１４０  結び目
５００  かぎ針
５１０  棒針部
５１１  かぎ針先端
５２０  握り部
Ｌ  左手
Ｒ  右手
【図１】
2020029636.tif 000003
【図２】
2020029636.tif 000004
【図３】
2020029636.tif 000005
【図４】
2020029636.tif 000006
【図５】
2020029636.tif 000007
【図６】
2020029636.tif 000008
【図７】
2020029636.tif 000009
【図８】
2020029636.tif 000010